(57)【要約】【課題】パチンコのリーチ演出をスロットマシンタイプの遊技機においても実現させ、遊技者の期待感を高める斬新な演出を提供する。【解決手段】当選判定の抽選結果が所定の当選役に当選の場合には、回転リール４０の回転開始時に、各回転リール４０にそれぞれ配置されている当該当選役を構成する図柄が隣接する回転リール４０の当該当選役を構成する図柄と一直線上に並ぶように回転態様を変更し、その状態でリールを低速回転させ、その後並列状態とされた図柄が、図柄表示窓１３から視認可能な位置となっている場合に、定常回転へ移行させる。【選択図】図６
2010029493.tif 000002
【特許請求の範囲】
【請求項１】
複数の駆動モータにそれぞれ軸着され、表面に複数の図柄が表示された複数の回転リールと、
前記複数の駆動モータを駆動させ前記回転リールの回転を開始させるためのスタートスイッチと、
前記駆動モータを駆動停止させ回転中の前記回転リールを個々に停止させるためのストップスイッチと、
前記複数の回転リールの図柄を正面側から視認可能とする図柄表示窓と、
前記駆動モータの回転開始前に、複数の図柄の組み合わせからなる当選役について当選判定の抽選を行うための当選抽選手段と、
前記スタートスイッチの操作に基づき、前記複数の駆動モータを駆動開始させ前記回転リールの回転を制御するためのリール回転制御手段と、
前記回転リールの回転中において回転リールに表示されている図柄の位置を判定するための図柄検知手段と、
前記複数の駆動モータが駆動開始し全ての前記回転リールが予め定められた定常回転速度に達した場合に、前記当選判定の抽選結果及び前記図柄検知手段の判定及び前記ストップスイッチの操作に基づき、前記複数の駆動モータの駆動を停止させて前記回転リールの回転停止を制御するためのリール停止制御手段とを少なくとも備え、
回転停止した前記複数の回転リールの、前記図柄表示窓から視認可能な停止図柄が、予め定められた配列となった場合に入賞となる遊技機において、
前記スタートスイッチの操作後、前記各回転リールにそれぞれ配置されているいずれかの当選役を構成する図柄を、隣接する回転リールの同じ当選役を構成する図柄と所定の態様で並列させるとともに、並列している図柄の並列態様を維持させたまま、前記回転リールを前記定常回転速度と異なる回転速度で回転させるための配列表示制御手段と、
前記低速回転中の回転リールを所定のタイミングで定常回転に移行させるための定常回転移行制御手段とを少なくとも設け、
前記配列表示制御手段は、前記当選判定の抽選結果が所定の当選役に当選の場合には、前記各回転リールにそれぞれ配置されている当該当選役を構成する図柄が、隣接する回転リールの当該当選役を構成する図柄と所定の態様で並列するように、各回転リールの回転態様の変更を決定可能であり、
前記定常回転移行制御手段は、前記当選判定の抽選結果が所定の当選役に当選の場合には、少なくとも１の回転リールにおける前記配列表示制御手段により並列状態とされた図柄が、前記図柄表示窓から視認可能な位置となっている場合に、定常回転への移行を決定可能であり、
前記リール回転制御手段は、前記配列表示制御手段及び前記定常回転移行制御手段の決定に基づいて、前記回転リールの回転態様を変更可能に形成されていることを特徴とする遊技機。
【請求項２】
前記配列表示制御手段は、前記当選判定の抽選の結果、いずれの当選役も当選していない場合であっても、所定の確率で、いずれかの当選役を構成する図柄が隣接する回転リールの同じ当選役を構成する図柄と所定の態様で並列するよう、複数の前記回転リールの回転態様の変更を決定可能であり、
前記定常回転移行制御手段は、前記当選判定の抽選の結果、いずれの当選役も当選していない場合においては、前記配列表示制御手段により並列状態とされた複数の回転リールの図柄の並びが前記図柄表示窓から視認不能な位置となった場合に、定常回転への移行を決定可能に形成されていることを特徴とする請求項１記載の遊技機。
【請求項３】
前記配列表示制御手段は、前記各回転リールにそれぞれ配置されているいずれかの当選役を構成する図柄を、隣接する回転リールの同じ当選役を構成する図柄と横一直線に並列させるものとし、
所定の演出表示を行う演出表示装置を制御するための演出制御手段を設け、この演出制御手段は、前記配列表示制御手段により並列状態とされた図柄の並びが、前記回転リールの回転方向に複数設定された前記図柄表示窓の所定位置に移動するたびに、前記演出表示装置に所定の表示をさせる段階報知を行わせることができ、
前記定常回転移行制御手段は、前記当選判定の抽選の結果、いずれの当選役も当選していない場合であっても、前記配列表示制御手段により並列状態とされた複数の回転リールの図柄の並びが、前記図柄表示窓から視認可能な位置となった場合に、定常回転への移行を決定可能であり、
前記演出制御手段は、前記当選判定の抽選の結果、所定の当選役が当選した場合には、前記段階報知として、前記複数設定された全ての所定位置毎に報知を行う最大段階報知を実行させ、いずれの当選役も当選していない場合には、最大段階報知に満たない段階の段階報知を実行可能に形成されていることを特徴とする請求項１又は２記載の遊技機。
【請求項４】
前記回転リールが低速回転中において遊技者が操作することにより、全ての前記回転リールを低速回転から定常回転へと移行させるための定常回転移行操作スイッチを設け、
前記定常回転移行制御手段は、前記当選判定の抽選の結果、所定の当選役が当選した場合において、前記配列表示制御手段により並列状態とされた当該当選役を構成する図柄が、少なくとも１の回転リールについて前記図柄表示窓から視認可能な位置となっている間に、前記定常回転移行操作スイッチが操作された場合には、定常回転への移行を決定可能に形成されていることを特徴とする請求項１乃至３のいずれか１項に記載の遊技機。
【発明の詳細な説明】
【技術分野】
【０００１】
この発明は、当選判定の抽選を行い、スタートスイッチの操作により回転リールを回転開始させ、ストップスイッチの操作によって停止させるようにした遊技機に関するものである。
【背景技術】
【０００２】
この種の遊技機、例えばスロットマシンにおいては、種々の態様で当選の報知演出が行われるように形成されている。例えば、特許文献１に記載の遊技機は、リールの回転速度、回転方向、回転開始から回転停止までの時間等、リールの回転態様によって当選を報知している。
一方、パチンコ遊技機においては、可変表示装置を用いてリーチ状態を表示することが行われており、例えば特許文献２には、回転リールの同一図柄を揃えた状態で同一転速度で回転させる技術が開示されている。
【特許文献１】特開２００１−１０４５７５号公報
【特許文献２】特許第３７０４４８２号公報
【発明の開示】
【発明が解決しようとする課題】
【０００３】
そこで本願発明は、パチンコのリーチ演出をスロットマシンタイプの遊技機においても実現させ、遊技者の期待感を高める斬新な演出を提供することを目的とする。
【課題を解決するための手段】
【０００４】
本発明は、上記した目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（特徴点）
（請求項１）
請求項１記載の発明は、次の点を特徴とする。
すなわち、請求項１記載の発明は、複数の駆動モータ（リールモータM1、M2、M3）にそれぞれ軸着され、表面に複数の図柄が表示された複数の回転リール(40)と、前記複数の駆動モータを駆動させ前記回転リール(40)の回転を開始させるためのスタートスイッチ(30)と、前記駆動モータを駆動停止させ回転中の前記回転リール(40)を個々に停止させるためのストップスイッチ(50)と、前記複数の回転リール(40)の図柄を正面側から視認可能とする図柄表示窓(13)と、前記駆動モータの回転開始前に、複数の図柄の組み合わせからなる当選役について当選判定の抽選を行うための当選抽選手段(110)と、前記スタートスイッチ(30)の操作に基づき、前記複数の駆動モータを駆動開始させ前記回転リール(40)の回転を制御するためのリール回転制御手段(120)と、前記回転リール(40)の回転中において回転リール(40)に表示されている図柄の位置を判定するための図柄検知手段（インデックスセンサ60A、図柄判定手段131）と、前記複数の駆動モータが駆動開始し全ての前記回転リール(40)が予め定められた定常回転速度に達した場合に、前記当選判定の抽選結果及び前記図柄検知手段の判定及び前記ストップスイッチ(50)の操作に基づき、前記複数の駆動モータの駆動を停止させて前記回転リール(40)の回転停止を制御するためのリール停止制御手段(130)とを少なくとも備え、回転停止した前記複数の回転リール(40)の、前記図柄表示窓か(13)ら視認可能な停止図柄が、予め定められた配列となった場合に入賞となる遊技機に係る。
【０００５】
本発明に係る遊技機は、スロットマシンやパロット遊技機とすることができ、上記構成の他にも、入賞時に遊技媒体を払い出すための払い出し装置（ホッパーユニット65）その他の構成部品を備えていてもよい。なお、「遊技媒体」とは、遊技に使用するメダルや遊技球（パチンコ球）、コインなどを含むものである。
前記「図柄検知手段」は、回転リール(40)の回転を検知するためのインデックスセンサ(60A)と、このインデックスセンサ(60A)の検知信号と、前記駆動モータとしてのステッピングモータの回転ステップ数に基づいて、回転リール(40)の回転角度を割り出し、回転リール(40)の表面に表示されている図柄の現在位置を特定可能な図柄判定手段(131)とすることができる。
【０００６】
前記リール回転制御手段(120)は、駆動モータの回転開始から回転中の制御を行うものであって、複数の駆動モータにそれぞれスタート信号（駆動開始信号）を出力して、回転リール(40)の回転速度が一定になるまで駆動モータを加速回転させ、その後は一定速度を保ったまま駆動モータを回転させる。
前記リール停止制御手段(130)は、前記回転リール(40)の停止制御を行うためのものである。停止制御とは、当選役の抽選の抽選結果に応じて、所定位置に停止させてはいけない図柄を停止させないように「蹴飛ばし」を行うと共に、所定位置に停止させてもよい図柄を極力その位置に停止させるように「引き込み」を行うことである。すなわち、前記ストップスイッチ(50)の操作時に、当選判定の抽選結果が「ハズレ」の場合にはいかなる当選図柄も有効ライン上に揃わないように、当選判定の抽選結果が所定の当選役に当選（当たり）の場合には当該当選図柄が極力有効ライン上に揃うように、各駆動モータに駆動停止信号を出力する時間を遅らせる制御を行うものである。
【０００７】
さらに、本発明においては、前記スタートスイッチ(30)の操作後、前記各回転リール(40)にそれぞれ配置されているいずれかの当選役を構成する図柄を、隣接する回転リール(40)の同じ当選役を構成する図柄と所定の態様で並列させるとともに、並列している図柄の並列態様を維持させたまま、前記回転リール(40)を前記定常回転速度と異なる回転速度で回転させるための配列表示制御手段(144)と、前記低速回転中の回転リール(40)を所定のタイミングで定常回転に移行させるための定常回転移行制御手段(145)とを少なくとも設けてある。そして、前記配列表示制御手段(144)は、前記当選判定の抽選結果が所定の当選役に当選の場合には、前記各回転リール(40)にそれぞれ配置されている当該当選役を構成する図柄が、隣接する回転リール(40)の当該当選役を構成する図柄と所定の態様で並列するように、各回転リール(40)の回転態様の変更を決定可能であり、前記定常回転移行制御手段(145)は、前記当選判定の抽選の結果、所定の当選役が当選した場合において、少なくとも１の回転リール(40)における前記配列表示制御手段(144)により並列状態とされた図柄が、前記図柄表示窓(13)から視認可能な位置となっている場合に、定常回転への移行を決定可能であり、前記リール回転制御手段(120)は、前記配列表示制御手段(144)及び前記定常回転移行制御手段(145)の決定に基づいて、前記回転リール(40)の回転態様を変更可能に形成されていることを特徴とする。
【０００８】
ここで、「いずれかの当選役を構成する図柄」は、複数あってもよい。またここで、いずれかの当選役を構成する図柄を「所定の態様で並列させる」とは、例えば３個の回転リール(40)の所定の当選役を構成する図柄（例えば７）を、横一列に並列（７-７-７）させること、あるいは斜めに一直線上に並列させることを含む。
またここで、「定常回転速度と異なる回転速度」には、定常回転速度よりも遅い回転速度と、定常回転速度よりも速い回転速度の双方を含む。
そして「所定の態様で並列するよう・・・回転態様を変更」とは、具体的には、回転リール(40)の停止時における図柄の現在位置を記憶しておき、各回転リール(40)の特定図柄が揃うように、各回転リール(40)の回転開始タイミングを異ならせることや、停止図柄の記憶又はリール回転開始後のスタートインデックスの検知により図柄の現在位置特定し、特定図柄が並列するように回転中の駆動モータの加速度を変化させて回転リール(40)回転速度を変化させることを含む。
【０００９】
また、「所定の当選役が当選した場合には・・・回転態様の変更を決定可能」とは、配列表示制御手段(144)は、所定の当選役が当選した場合であっても回転態様の変更を決定しないこともあり、所定の当選役が当選していない（抽選結果がハズレ）場合に回転態様の変更を決定することもあるという意味である。
同様に、「定常回転への移行を決定可能」とは、定常回転移行制御手段(145)は、所定の当選役が当選した場合であっても並列図柄が視認可能なときに定常回転への移行を決定しないこともあり、所定の当選役が当選していない場合に並列図柄が視認可能なときに定常回転への移行を決定することもあるという意味である。
【００１０】
（作用）
本発明においては、当選判定の抽選結果が所定の当選役に当選の場合には、所定の確率で、配列表示制御手段(144)が回転リール(40)の回転態様を決定する。回転態様は、並列させる当選図柄（リール上に複数配置されている場合にはその中のいずれか）の現在位置を特定し、各回転リール(40)における特定の当選図柄の距離（差コマ数）を把握し、差コマ数に応じた回転開始順番や回転開始時及び回転開始後の加速度設定を予め規定した回転態様決定テーブル（スタートタイミングテーブル、加速度設定テーブル）を用いて決定することができる。リール回転制御手段(120)は、配列表示制御手段(144)の決定した回転態様に従って、各回転リール(40)を回転開始させる。
【００１１】
そして、複数の回転リール(40)の所定の図柄が並列状態となり、かつ各回転リール(40)の回転速度が定常回転速度とは異なる同一の回転速度となると、定常回転移行制御手段(145)は、図柄検知手段の検知に基づき、あるいは記憶されている停止図柄情報に基づき、並列状態となっている図柄が図柄表示窓(13)の枠内に位置したかどうかを判断し、並列図柄が図柄表示窓(13)の枠内に位置したときには定常回転移行を決定する。リール回転制御手段(120)は、定常回転移行制御手段(145)の決定に従って、各回転リール(40)の駆動モータを加速させて回転リール(40)の回転を定常回転とさせる。ここで、所定図柄が横一列に並んでいる場合には、複数の回転リール(40)の並列している所定図柄が図柄表示窓(13)の上段に位置したときから下段に位置しているまでの間のいずれかのタイミングで定常回転に移行させる。所定図柄が斜め一列に並んでいる場合には、最も回転方向側にある図柄が図柄表示窓(13)の上段に位置したときから最も反回転方向側にある図柄が図柄表示窓(13)の下段に位置しているまでの間のいずれかのタイミングで定常回転に移行させる。
【００１２】
なお、当選判定の抽選結果が不当選の場合に配列表示制御手段(144)が回転態様の変更を決定した場合には、並列状態となっている図柄が図柄表示窓(13)の枠内に位置していても、定常回転に移行させない。あるいは、定常回転に移行させる前に、再度回転リール(40)の回転態様を変化させて、並列状態の図柄をばらけさせるようにしてもよい。
本発明によれば、回転リール(40)が定常回転に移行する前に、定常回転とは異なる速度で当選図柄の並びが図柄表示窓(13)を通過するのを観ることができ、特に定常回転よりも遅い速度で回転リール(40)を回転させる場合には、パチンコのリーチ演出と同様の高揚感を味わうことができる。また、リーチ状態の図柄が図柄表示窓(13)を通過するときに定常回転に移行するか否かで、当選の有無を知ることができる。
【００１３】
なお、一の当選役を構成する図柄（例えば７）が並列状態となっているときには、他の一の（あるいは複数の）当選役を構成する図柄（例えばベル）も並列状態になるよう、各回転リール(40)に表示される図柄の配置を設定してもよい。
また、回転開始又は回転中の回転態様変更によって、結果としていずれかの当選役を構成する図柄が並列状態となればよく、必ずしも揃えようとする図柄の現在位置を特定する必要はない。例えばリールの図柄配置を上記したように形成した場合、複数の回転リール(40)のスタートインデックスの位置を合致させるように各回転リールの回転態様を変更すれば、結果として特定の図柄が並列することとなる。
【００１４】
（請求項２）
請求項２記載の発明は、上記した請求項１記載の発明の特徴点に加え、次の点を特徴とする。
すなわち、請求項２記載の発明は、前記配列表示制御手段(144)は、前記当選判定の抽選の結果、いずれの当選役も当選していない場合であっても、所定の確率で、いずれかの当選役を構成する図柄が隣接する回転リール(40)の同じ当選役を構成する図柄と所定の態様で並列するよう、複数の前記回転リール(40)の回転態様の変更を決定可能であり、前記定常回転移行制御手段(145)は、前記当選判定の抽選の結果、いずれの当選役も当選していない場合においては、前記配列表示制御手段(144)により並列状態とされた複数の回転リール(40)の図柄の並びが前記図柄表示窓から視認不能な位置となった場合に、定常回転への移行を決定可能に形成されていることを特徴とする。
【００１５】
本発明は、当選抽選手段(110)の抽選結果がハズレの場合のリールの挙動を限定したものである。
本発明に因れば、抽選結果がハズレの場合でもリーチ演出が行われるが、リーチ状態の図柄が図柄表示窓(13)を通過するときに定常回転に移行するか否かで、当選の有無を知ることができる。
（請求項３）
請求項３記載の発明は、上記した請求項１又は２記載の発明の特徴点に加え、次の点を特徴とする。
【００１６】
すなわち、請求項３記載の発明は、前記配列表示制御手段(144)は、前記各回転リール(40)にそれぞれ配置されているいずれかの当選役を構成する図柄を、隣接する回転リール(40)の同じ当選役を構成する図柄と横一直線に並列させるものとし、所定の演出表示を行う演出表示装置(66)を制御するための演出制御手段（演出制御装置22）を設け、この演出制御手段(22)は、前記配列表示制御手段(144)により並列状態とされた図柄の並びが、前記回転リール(40)の回転方向に複数設定された前記図柄表示窓(13)の所定位置に移動するたびに、前記演出表示装置(66)に所定の表示をさせる段階報知を行わせることができる。また、前記定常回転移行制御手段(145)は、前記当選判定の抽選の結果、いずれの当選役も当選していない場合であっても、前記配列表示制御手段(144)により並列状態とされた複数の回転リール(40)の図柄の並びが、前記図柄表示窓(13)から視認可能な位置となった場合に、定常回転への移行を決定可能であり、前記演出制御手段(22)は、前記当選判定の抽選の結果、所定の当選役が当選した場合には、前記段階報知として、前記複数設定された全ての所定位置毎に報知を行う最大段階報知を実行させ、いずれの当選役も当選していない場合には、最大段階報知に満たない段階の段階報知を実行可能に形成されていることを特徴とする。
【００１７】
ここで、「回転リール(40)の回転方向に複数設定された前記図柄表示窓(13)の所定位置」とは、例えば図柄表示窓(13)の上段位置、中段位置、下段位置とすることができる。また、「最大段階報知」とは、前記所定位置が３カ所の場合、当選図柄が図柄表示窓(13)の上段中段下段を通過するごとに、スピーカ(69)から音声を出力させたり、回転リール(40)のバックライトを点灯させたりする３段階の報知であり、「最大段階報知に満たない段階の段階報知」とは、当選図柄が上段中段下段のいずれかを通過するときに上記したような表示を行わせる２段階の報知又は単独の報知のことである。
本発明によれば、図柄の並列低速回転の有無、定常回転移行の時期、段階報知の組み合わせによって、豊富な演出表示を行うことができ、当選の有無だけでなく、信頼度の表示なども行わせることができる。
【００１８】
（請求項４）
請求項４記載の発明は、上記した請求項１乃至３のいずれか１項に記載の発明の特徴点に加え、次の点を特徴とする。
すなわち、請求項４記載の発明は、前記回転リール(40)が低速回転中において遊技者が操作することにより、全ての前記回転リール(40)を低速回転から定常回転へと移行させるための定常回転移行操作スイッチを設け、前記定常回転移行制御手段(145)は、前記当選判定の抽選の結果、所定の当選役が当選した場合において、前記配列表示制御手段(144)により並列状態とされた当該当選役を構成する図柄が、少なくとも１の回転リール(40)について前記図柄表示窓(13)から視認可能な位置となっている間に、前記定常回転移行操作スイッチが操作された場合には、定常回転への移行を決定可能に形成されていることを特徴とする。
【００１９】
本発明は、定常回転への移行条件に、所定の操作スイッチの所定タイミングでの操作をさらに加えたものである。
ここで、前記定常回転移行操作スイッチは、遊技者が操作可能なスイッチであって、遊技機の既存の操作スイッチ（例えばスタートスイッチやストップスイッチ）としてもよいし、専用のスイッチを設けてもよい。
本発明によれば、リーチ状態の図柄が図柄表示窓(13)を通過するタイミングで定常回転移行操作スイッチを操作できたかによって定常回転への移行による当選報知を受けられるか受けられないかが左右されることとなり、報知の有無に技術介入性を持たせることができる。
【発明の効果】
【００２０】
本発明は、以上のように構成されているので、パチンコのリーチ演出をスロットマシンタイプの遊技機においても実現させ、遊技者の期待感を高める斬新な演出を提供することができる。
【発明を実施するための最良の形態】
【００２１】
本発明の好適な実施の形態を、遊技機としてスロットマシンを例に、図面に基づき説明する。
（図面の説明）
図１乃至図１１は、本発明の実施の形態を示すものである。
図１はスロットマシン10の外観正面図、図２はスロットマシン10の入力、出力、制御を示すブロック図、図３乃至図８はスロットマシン10の作動を示す流れ図、図９は回転リール40の図柄配置を示す図、図１０及び図１１は回転リール40の回転に伴う図柄の移動を示す説明図である。
【００２２】
（スロットマシン10）
スロットマシン10は、図１に示すように、四角箱状の筐体11を有する。この筐体11には、遊技者側に向かって臨む表示窓12が形成されており、さらに表示窓12には、３個の回転リール40（41,42,43）の図柄を見ることができる図柄表示窓13が形成されている。そして、スロットマシン10の略中央端部には、メダル投入口14が設けられている。
スロットマシン10の内部には、ホッパーユニット65と、スロットマシン10の全体の動作を制御するための制御装置20が内蔵されている。
（制御装置20）
上記制御装置20は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）及び（２）の装置を構成する。
【００２３】
（１）遊技制御装置21
（２）演出制御装置22
遊技制御装置21は、スタートスイッチ30及びストップスイッチ50の操作により、回転リール40の回転及び停止を制御するためのものである。演出制御装置22は、遊技制御装置21からの出力信号、スタートスイッチ30等の操作手段の操作信号に基づいて、ランプ68やスピーカ69等の演出表示装置66を制御するためのものである。
ここで、制御装置20を、主制御装置と、主制御装置からの信号を受信して作動する副制御装置とから構成し、前記遊技制御装置21を主制御装置に、前記演出制御装置22を副制御装置に配置することができる。このように、遊技を司る制御装置と演出を司る制御装置を別個に形成することにより、演出制御に当てられるメモリを大幅に増やすことができると共に、演出のみを変更することもできる。
【００２４】
（入力段）
上記制御装置20の入力段には、図２に示すように、次のパーツが接続されている。
（１）投入スイッチ15
（２）ベットスイッチ16
（３）精算スイッチ17
（４）スタートスイッチ30
（５）ストップスイッチ50
（６）インデックスセンサ60A
なお、入力段としては、上記した（１）乃至（６）のパーツに限定されるものではない。
【００２５】
（投入スイッチ15）
投入スイッチ15は、図１に示すように、メダル投入口14の下方に内蔵された検知センサであって、投入された遊技メダルを検知するためのものである。
（ベットスイッチ16）
ベットスイッチ16は、図１に示すように、図柄表示窓13の下方に位置するボタンスイッチであって、クレジットをメダル投入に代えるためのものである。
ここで、クレジットとは、次遊技以降に使用するためのメダルをあらかじめ遊技機内部に貯留しておくことであり、スロットマシン10は、メダル投入口14から投入され投入スイッチ15を通過した遊技メダル、又は入賞により払い出される遊技メダルを、最大５０枚まで、遊技機内部に貯留する扱いができるように形成されている。
【００２６】
（精算スイッチ17）
精算スイッチ17は、図１に示すように、図柄表示窓13の斜め下方に位置するボタンスイッチであって、貯留した投入メダルを払い出すためのものである。
（スタートスイッチ30）
スタートスイッチ30は、図１に示すように、図柄表示窓13の斜め下方に位置するレバーであって、遊技メダルの投入若しくはベットスイッチ16の押下を条件に、または、「再遊技（Replay）」時には前遊技から所定時間経過を条件に、リールユニット60の駆動を開始させるためのものである。
【００２７】
なお、ここで、「再遊技（Replay）」とは、当選抽選手段110の抽選により、「再遊技（Replay）」のフラグが成立し、「再遊技（Replay）」の図柄が入賞有効ライン上に揃うことにより、次の遊技において、遊技メダルを新たに投入することなく、再度、遊技を行うことができるものである。
また、スタートスイッチ30の筐体内部側には、特に図示しないが、接触により通電する接触センサ、あるいはレバーの押下による揺動を検知する遮光センサが設けられていて、レバー押下が検知されるとともに、当該検知信号が操作信号として制御装置20に出力されるようになっている。そして、本実施の形態においては、スタートスイッチ30の操作により、３個の回転リール40を別々に回転開始させることができる（３個の回転リール40を同時に回転開始させない場合もあることを意味する）ように形成されているが、これについては後述する。
【００２８】
（ストップスイッチ50）
ストップスイッチ50は、リールユニット60の駆動を停止させるためのものである。具体的には、ストップスイッチ50は、図１に示すように、各回転リール40に対応した３個の停止ボタンから構成され、各回転リール40の下方に１個ずつ配置されている。各停止ボタンの筐体内部側には、特に図示しないが、接触により通電する接触センサ、あるいはボタンの押下による移動を検知する遮光センサが設けられていて、ボタンの押下が検知されるとともに、当該検知信号が操作信号として制御装置20に出力されるようになっている。
そして、回転リール40に対応したストップスイッチ50の操作により、当該対応した回転リール40が回転を停止するように設定されているものである。すなわち、右側の停止ボタンの操作により右リール41を停止させることができ、中央の停止ボタンの操作により中リール42を、左側の停止ボタンの操作により左リール41を、それぞれ停止させることができる。
【００２９】
（インデックスセンサ60A）
インデックスセンサ60Aは、特に図示しないが、リールユニット60の枠体に設けられた検知部であって、回転リール40の回転を検知するためのものである。
具体的には、インデックスセンサ60Aは、各回転リール40にそれぞれ１個ずつ配置された遮光センサとすることができ、回転リール40に設けられたスタートインデックスが受光部と発光部の間を通過したときに、検知信号を出力可能に形成されている。
（出力段）
前記制御装置20の出力段には、図２に示すように、次のパーツが接続されている。
【００３０】
（１）リールユニット60（リールモータM1,M2,M3）
（２）ホッパーユニット65
（３）定常回転報知部18
（４）演出表示装置66（画像表示部67及びランプ66及びスピーカ69）
なお、出力段としては、上記した（１）乃至（４）のパーツに限定されるものではない。
（リールユニット60）
リールユニット60は、特に図示しないが枠体に固定或いは支持された３個のステッピングモータ（リールモータM1,M2,M3。図２参照）と、各々のリールモータの出力軸に固定された左リール41、中リール42、右リール43（図１参照）の３個の回転リール40から構成されている。具体的には、左リール41はリールモータM1に、中リール42はリールモータM2に、左リール41はリールモータM3に、それぞれ取り付けられている。
【００３１】
リールユニット60には、前記リールモータM1,M2,M3をそれぞれ駆動させるための複数のパルス発生装置（図示せず）が設けられており、リール回転制御装置120からのスタート信号に基づいてパルス発生装置がパルス信号を発信することにより各リールモータM1,M2,M3の駆動軸が回転するようになっている。
各回転リール40は、合成樹脂からなる回転ドラムと、この回転ドラムの周囲に貼付されるテープ状のリールテープとを備えている。このリールテープの外周面には、複数個（例えば２１個）の図柄が表示されている。そして、スロットマシン10を正面視したとき、図柄表示窓13からは、各回転リール40の図柄がそれぞれ３個ずつ視認できるようになっている。
【００３２】
ここで、本実施の形態においては、回転リール40の展開図である図９に示すように、各回転リール40の所定の図柄番号の位置に、当選役を表す組み合わせの図柄が配置されている。例えば、左リール41の図柄番号５の図柄と、中リール42、右リール43の図柄番号３の図柄は同一図柄の「７」であり、ＢＢ当選の図柄配列である「７-７-７」の並びとなっている。同様に、各回転リール40の図柄番号１２の図柄は「スイカ」、図柄番号１６の図柄は「ベル」、図柄番号２０の図柄は「リプレイ」となっている。また、左リール41の図柄番号８の図柄と、中リール42、右リール43の図柄番号８の図柄は、同一図柄ではないが、所定の小役当選又はブランク図柄の図柄配列である「Ｃｈ-ａｎ-ｃｅ」の並びとなっている。従って、３個の回転リール40の同一の図柄番号が同じ位置（例えば図柄表示窓の上段）にあれば、上記「７」「スイカ」「ベル」「Ｃｈａｎｃｅ」「リプレイ」の図柄は必ず横一列に並んだ状態となる。なお、「・」は、所定の図柄を省略したもので、例えば「ベル」「スイカ」「チェリー」等の図柄であり、これらは上記した図柄が横一列に並んだときには横一列には並ばないようになっている。
【００３３】
また、特に図示しないが、各回転リール40には、リールユニット60に設けられたインデックスセンサ60Aに検知される検知部としてのスタートインデックスが設けられている。スタートインデックスは、例えば回転ドラムの内側や回転ドラムとリールモータを繋ぐスポークに設けられた突片とすることができる。
（ホッパーユニット65）
ホッパーユニット65は、図１に示すように、筐体11の内部に設けられた払い出し装置であって、遊技の結果に基づいて、遊技者にメダルを払い出すためのものである。
（定常回転報知部18）
定常回転報知部18は、回転リール40が定常回転に達した場合に点灯するランプである。
【００３４】
なお、定常回転報知部としては、前記定常回転報知部18によるものの他に、スピーカから所定の信号音を発生させるようにしてもよい。
（演出表示装置66）
演出表示装置66は、演出制御装置22の制御により、入賞等を報知させるなど、種々の演出を行うものである。具体的には、演出表示装置66は、画像表示部67及びランプ68及びスピーカ69から構成されている。
画像表示部67は、回転リール40の側方に設けられた窓部であり、ＬＥＤ、ドットマトリックス、液晶画面等を用いて、入賞の報知その他の演出を表示するためのものである。なお、画像表示部67としては上記のものに限られず、例えば演出専用の回転リールを設け、リールの図柄や文字等により演出を表示するようにしても良い。
【００３５】
ランプ68及びスピーカ69は、発光体の点灯又は点滅、入賞音の発生により入賞等を報知するためのものである。
（遊技制御装置21）
次に、遊技制御装置21について詳述する。
遊技制御装置21は、スタートスイッチ30及びストップスイッチ50の操作により、回転リール40の回転及び停止を制御するためのものである。そして、この遊技制御装置21は、次の（１）乃至（８）の手段として機能する。
（１）通常遊技制御手段70
（２）特別遊技制御手段80
（３）当選抽選手段110
（４）リール回転制御手段120
（５）リール停止制限手段130
（６）リーチ演出制御手段140
（７）ホッパー制御手段150
（８）入賞判定手段160
なお、遊技制御装置21としては、上記した（１）乃至（８）の手段に限定されるものではなく、他の手段を含んでいても良い。
【００３６】
（通常遊技制御手段70）
通常遊技制御手段70は、通常遊技を行わせるためのものである。
すなわち、メダルの投入若しくはベットスイッチ16の押下を条件に、または、「再遊技（Replay）」時には前遊技から所定時間経過を条件に、スタートスイッチ30を操作すると、リールモータM1〜M3が駆動して、３個の回転リール40が回転を開始する。
その後、ストップスイッチ50の１個を操作すると、当該対応する回転リール40の回転が停止する。そして、ストップスイッチ50を３個全て操作し終わると、３個の回転リール40の回転が全て停止する。このとき、図柄表示窓13の有効ライン上に当選図柄が入賞の態様で停止すると、ホッパーユニット65を介して所定枚数のメダルが払い出される。なお、メダルを払い出す代わりに、クレジットしても良い。
【００３７】
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。
また、抽選結果がいずれかの役に当選となった場合、その当選に対応した当選フラグが成立する。そして、抽選結果が特別当選である場合に、特別当選フラグが成立し、この特別当選フラグ成立中に、リールユニット60の回転リール40の停止図柄の組み合わせが、予め定められた所定の特別当選図柄44〜46（例えば、有効ライン上に「７」が３個揃うもの）と一致したことを条件に入賞し、遊技者に有利な特別遊技を行わせるように形成されている。
【００３８】
一方、抽選により特別当選フラグが成立したが、回転リール40の停止図柄の組み合わせが特別当選図柄と一致していない場合には、それ以後の遊技に特別当選フラグ成立の権利が持ち越されるように設定されている。なお、小役の当選フラグは、当選フラグが成立した遊技で入賞させられない場合、当選フラグ成立の権利の次の遊技への持ち越しはない。
また、いずれかの当選フラグが成立中に、対応する当選図柄を有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄、例えば停止図柄から連続する４個の引き込み可能図柄の中に、対応する当選図柄が含まれているような場合には、停止するまでの時間を遅らせて、回転リール40は有効ライン上にその当選図柄を引き込んで停止する。一方、かかる４個の引き込み可能図柄の中に、対応する当選図柄が含まれていないような場合には、有効ライン上にその当選図柄を引き込んで停止することができない。
【００３９】
（特別遊技制御手段80）
特別遊技制御手段80は、抽選手段の抽選結果に基づいて、遊技者に有利な特別遊技を行わせるためのものである。
上記特別遊技としては、大別すると、次のゲームがある。
（１）特定導入遊技（ビッグボーナスゲーム・以下ＢＢゲームという）
（２）特定遊技（レギュラーボーナスゲーム・以下ＲＢゲーム）
（３）特定当選遊技（ジャックゲーム・以下ＪＡＣゲームという）
なお、ＲＢゲームは、ＢＢゲーム中に行われる場合と、ＢＢゲーム中でないときにも単独で行われる場合がある。ＪＡＣゲームは、ＲＢゲーム中に行われるものである。また、特別遊技としては、上記した（１）乃至（３）の遊技に限定されるものではない。
【００４０】
特別遊技制御手段80は、特に図示しないが、大別すると、次の手段を備える。
（１）特定導入遊技制御手段
（２）特定遊技制御手段
（特定導入遊技制御手段）
特定導入遊技制御手段は、ＢＢゲームを制御するためのものである。
具体的には、通常遊技において、例えば「７」等の図柄が入賞有効ライン上に３個揃うと、ＢＢゲームに移行する。
ＢＢゲームに移行すると、ＲＢゲームに移行するための特定当選図柄（ＲＢ図柄）を揃えることなく、ＲＢゲームが開始される。そして、１回のＲＢゲームが終了すると、ＲＢ図柄を揃えることなく、再びＲＢゲームが開始される。このようにして、ＢＢゲーム中は、ＲＢゲームが繰り返される。そして、一定枚数のメダルが払い出しされると、実行中のＲＢゲームが途中であっても、ＢＢゲームは終了するものである。
【００４１】
なお、ＢＢゲームに移行後、ＲＢ図柄が揃った場合にＲＢゲームが開始されるようにしてもよい。この場合には、ＢＢゲームに突入すると、通常遊技と同様に一回の遊技毎に当選判定の抽選が行われ、抽選結果がＲＢ当選となったときにＲＢ図柄を有効ライン上に揃えると、ＲＢゲームが開始される。そしてＲＢゲーム終了後には、再び通常遊技と同様の遊技が行われ、一定枚数のメダルが払い出しされると、実行中のＲＢゲームが途中であっても、ＢＢゲームは終了する。
（特定遊技制御手段）
特定遊技制御手段は、ＲＢゲームを制御するためのものである。
【００４２】
具体的には、ＲＢゲームに移行すると、メダルが１枚投入となり、回転リール40の所定の図柄が図柄表示窓13のセンターラインＬ１上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
また、上記したように、ＢＢゲーム中においては、前期終了条件に該当していなくても、ＢＢゲーム中の払い出しメダル数が一定枚数に達したときに終了する。
【００４３】
（当選抽選手段110）
当選抽選手段110は、予め定めた抽選確率に基づいて、当選か否かの当選判定の抽選を行うものである。そして、当選抽選手段110による抽選の結果、所定の当選役に当選である場合に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
上記当選抽選手段110は、図１に示すように、大別すると、次の手段を備える。
（１）乱数発生手段111
（２）乱数抽出手段112
（３）当選判定テーブル113
（４）判定手段114
なお、当選抽選手段110としては、上記した（１）乃至（４）に限定されるものではない。
【００４４】
（乱数発生手段111）
乱数発生手段111は、当選抽選用の乱数を所定の領域内（例えば十進数で０〜６５５３５）で発生させるものである。
（乱数抽出手段112）
乱数抽出手段112は、乱数発生手段111が発生する乱数を、スタートスイッチ30の操作タイミングで抽出するものである。なお、この抽出した乱数を抽出乱数データとする。
なおここで、「乱数発生手段」としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。そして、「乱数抽出手段」としては、スタートスイッチを押したタイミングでカウンタの数字を読みとることなる。
【００４５】
このように形成すると、「乱数発生手段」では乱数を発生しているわけではないものの、「乱数抽出手段」によって抽出される数字は、あたかも乱数のような分布となる。このように、結果として乱数のような分布を示す数字が得られる手段を、ここでは「乱数発生手段」あるいは「乱数抽出手段」に含めて考えるものとする。
（当選判定テーブル113）
当選判定テーブル113は、乱数発生手段111がとる乱数の全領域中、各当選項目の当選領域を有するものである。
（判定手段114）
判定手段114は、乱数抽出手段112が抽出した抽出乱数データと、当選判定テーブル113の抽選確率データを基に、乱数発生手段111がとる乱数の全領域中の各当選項目の当選領域からなる当選判定領域データとを照合し、当該抽出乱数データが属する当選領域に対応する当選を決定するものである。
【００４６】
（リール回転制御手段120）
リール回転制御手段120は、有効なスタートスイッチ30の操作信号に基づいて回転リール40を回転させるとともに、当選判定の抽選結果に基づいて回転リール40の回転開始態様を変更させるためのものである。
そしてリール回転制御手段120は、図２に示すように、以下の（１）乃至（３）の手段を有している。
（１）スタート信号出力手段121
（２）停止操作無効解除手段122
（３）加速度変更手段123
なお、リール回転制御手段120としては、上記以外の手段を有していても構わない。
【００４７】
（スタート信号出力手段121）
スタート信号出力手段121は、スタートスイッチ30の操作信号に基づくスタート信号を出力するためのものである。
具体的には、投入スイッチ15が投入メダルを検知した場合、クレジットが「１」以上でベットスイッチ16が操作された場合、及びホッパーユニット65がメダルの払い出し中でないなど、所定の遊技開始条件を満たしている場合において、スタートスイッチ30の操作信号を受信した場合には、各回転リール40のリールモータM1、M2、M3に、同時にスタート信号を出力する。
【００４８】
さらに、後述するリーチ演出制御手段140によって、所定のリーチ演出の実行が決定された場合には、３個のリールモータM1〜M3に時間差をつけてスタート信号を出力することもできるようになっている。
（停止操作無効解除手段122）
停止操作無効解除手段122は、ストップスイッチ50の操作信号によって回転リール40の回転を停止可能な状態にするためのものである。
ここで、ストップスイッチ50の操作信号は、各回転リール40の回転停止から次遊技において回転リール40が定常回転に達し、かつ所定の遊技制限時間が経過するまでの間は、制御装置20に到達しないように形成されている。すなわち、前記した期間は、ストップスイッチ50が効かない停止操作無効状態となる。これは、ストップスイッチ50の各検知センサと制御装置20とをつなぐ電気的接続経路中に、所定の信号遮断手段（図示せず）を設け、この信号遮断手段が作動しているときにはセンサの検知信号が制御装置20に通達せず、信号遮断手段が非作動のときにはセンサの検知信号が制御装置20に通達するように形成することによって実行可能である。信号遮断手段は、電気回路中に設けた論理回路手段やスイッチ手段であってもよいし、そのようなプログラムを制御装置20に組み込んだものであってもよい。
【００４９】
またここで、前記遊技制限時間とは、いわゆるウエイト時間と呼ばれるものであって、遊技者が一定時間に過度のメダルを投入できないように、一回の遊技が終了した後であっても、所定の時間が経過していないと次遊技を行うことができないように設定された時間である。具体的には、１分間に使用される賭け金が４００円を超えないこととする規則に基づき１ゲーム当たりの遊技時間を割り出したものであって、遊技開始から次の遊技開始までの間が４．１秒以上と規定されている。本実施の形態においては、回転リール40が定常回転に達して（ストップスイッチ50が操作可能になって）から次遊技で回転リール40が定常回転に達するまでの時間が４．１秒未満である場合には、４．１秒が経過するまでストップスイッチ50を操作不能とするように形成されている。
【００５０】
なお、回転リール40が定常回転になったかどうかは、インデックスセンサ60Aの検知時間間隔を測定することにより確認することができる。あるいは、リールモータに回転検知センサを設け、駆動軸の回転数を検出するようにしてもよい。回転リール40が定常回転に達すると、定常回転報知部18のランプが点灯する。
そして、停止操作無効解除手段122は、全ての回転リール40が定常回転に達し、かつ遊技制限時間が経過した場合には、前記信号遮断手段を非作動状態にさせて、停止操作の無効を解除する。
（加速度変更手段123）
加速度変更手段123は、回転開始する回転リール40又は回転中の回転リール40のリールモータM1〜M3の加速度を変更するためのものである。ここで、リールモータM1〜M3の加速度は、ステッピングモータを駆動させるためのパルス発生装置が出力するパルスの周波数を調節することにより、変更することができる。具体的には、パルス周波数の逓増を緩やかに設定すれば加速度は低くなり、周波数が急増するように設定すれば加速度は高くなる。また、単位時間当たりのパルス周波数を一定にして加速度をゼロにすれば、リールモータM1〜M3は同じ速度で回転する。単位時間当たりのパルス周波数を減じて加速度をマイナスにすれば、リールモータM1〜M3は減速する。
【００５１】
そして、加速度変更手段123は、通常時においては、リールモータM1〜M3の駆動開始時に予め定められた通常の加速度で加速し、所定の回転速度（定常回転速度。例えば１分間に８０回転）に達したら、加速度をゼロにする。一方、リーチ演出が行われる場合には、上記とは異なる加速及び減速のパターンを行うようになっているが、この詳細については後述する。
（リール停止制御手段130）
リール停止制御手段130は、当選抽選手段110の抽選結果及び有効なストップスイッチ50の操作タイミングに基づいて、回転リール40の停止を制御するためのものである。
【００５２】
そして、リール停止制御手段130は、図２に示すように、次の（１）乃至（３）の手段を備えている。
（１）図柄判定手段131
（２）停止データ記憶手段132
（３）ストップ信号出力手段133
なお、リール停止制御手段130としては、上記以外の手段を備えていても構わない。
（図柄判定手段131）
図柄判定手段131は、インデックスセンサ60Aの検知信号に基づいて各回転リール40の図柄の現在位置を、各回転リール40について認識するためのものである。
【００５３】
具体的には、図柄判定手段131は、特に図示しないが、回転リール40を１回転させるための発信パルス数を全範囲として各回転リール40のリールテープに表示されている各図柄の領域を規定した回転リール40ごとの図柄判定テーブルと、パルス発信装置の発信パルス数を、インデックスセンサ60Aの検知信号受信時にゼロクリアしつつカウントするカウント手段を備えている。そして、カウント手段のカウント値と各図柄判定テーブルとを対比することにより、特定の回転リール40の特定の位置、例えば図柄表示窓13の上段の位置、中段の位置、下段の位置に何の図柄が位置しているかを把握することができるようになっているものである。
【００５４】
そして、図柄判定手段131は、有効なストップスイッチ50の操作信号受信時に、有効ライン上に位置している図柄を基準図柄として記憶する。また、回転リール40が回転停止したときの停止図柄の情報を、リーチ演出制御手段140及び入賞判定手段160に出力する。
（停止データ記憶手段132）
停止データ記憶手段132は、ストップスイッチ50の操作信号により回転リール40の回転を停止させるための複数の停止データを記憶しているものである。
停止データとしては、当選図柄引き込み停止データと、ハズレ停止データが設けられている。当選図柄引き込み停止データとは、当選判定の抽選の結果、所定の当選役に当選した場合に、当該当選図柄を所定の有効入賞ライン上に極力停止させる引き込み制御を行うとともに、当該当選図柄以外の図柄を有効入賞ライン上に入賞の態様に停止させない蹴飛ばし制御を行うためのものである。ハズレ停止データとは、有効入賞ライン上に停止する図柄がいかなる入賞の態様にもならないように蹴飛ばし制御を行うためのものである。
【００５５】
なお、ストップスイッチ50の操作信号受信時に直ちに停止可能な所定位置にある基準図柄から、何コマ回転させて回転リール40を停止させるかを、所定条件に応じ各図柄毎にテーブル上に規定した停止テーブルも、上記停止データに含まれるものである。
（ストップ信号出力手段133）
ストップ信号出力手段133は、停止データに基づいて、リールモータM1、M2、M3を個々に停止させるためのストップ信号を出力するためのものである。ストップ信号は、具体的には、パルス発生装置のパルス出力を停止させるための信号である。
具体的には、ストップ信号出力手段133は、上記した蹴飛ばし及び引き込みが行われるように、ストップスイッチ50の操作信号受信とストップ信号出力のタイミングをずらして、回転リール40が停止するまでの時間を遅らせる。
【００５６】
なお、回転リール40が定常回転に達していない場合には、いずれかのストップスイッチ50が操作されても、当該操作信号は有効な操作信号として制御装置20に届かないので、ストップ信号が出力されることはなく、回転リール40も停止しない。
（リーチ演出制御手段140）
リーチ演出制御手段140は、スタートスイッチ30の操作に基づく回転リール40の回転開始時において、リーチ演出を行わせるためのものである。ここで、リーチ演出とは、各回転リール40に表示されている図柄のうち所定の図柄を、所定の配列、例えば横一直線に並べた状態で、回転リール40を通常の回転速度（定常回転速度）よりも遅い回転速度（低速回転速度）で回転させ、並列状態の図柄が図柄表示窓13の枠内に位置している間に、全ての回転リール40を定常回転に移行させることにより、当選図柄を報知する演出である。
【００５７】
なお、本実施の形態では、図９に示した各回転リール40の同一図柄番号に配置されている図柄配列の当選役について、当選の報知が行われる。これ以外の配列を有する当選役、例えば「チェリー-・-・」のような役の当選報知は行われない。
そして、リーチ演出制御手段140は、以下の（１）乃至（５）の手段を有している。
（１）停止図柄記憶手段141
（２）実行決定手段142
（３）位置判定手段143
（４）配列表示制御手段144
（５）定常回転移行制御手段145
なお、リーチ演出制御手段140としては、上記以外の手段を有していても構わない。
【００５８】
（停止図柄記憶手段141）
停止位置記憶手段141は、前記図柄判定手段131からの停止図柄情報を記憶するためのものである。具体的には、停止位置記憶手段141は、所定位置、例えば図柄表示窓13の上段に位置している回転リール40の図柄を、回転リール40ごとに記憶するためのメモリを備え、図柄判定手段131から停止図柄情報が出力されるたびにメモリに記憶している内容を更新する。
（実行決定手段142）
実行決定手段142は、リーチ演出を実行するか否か、及びリーチ演出の実行パターンを決定するためのものである。
【００５９】
具体的には、実行決定手段142は、遊技中の所定契機、例えばスタートスイッチ30の押下時に、演出を実行するか否かの演出実行抽選を行い、演出実行抽選の結果に基づいてリーチ演出の有無を決定する。
また、リーチ演出を実行すると決定した場合には、リーチ演出の実行パターンを、当選抽選手段110の当選判定の抽選結果に基づいて決定する。すなわち、当選判定の抽選の結果、所定の当選役が当選した場合には、当選役を報知するパターン（パターンＡ）の実行を決定し、抽選結果がハズレの場合には、当選役を報知しないパターン（パターンＢ）の実行を決定する。なお、パターンＡ、Ｂの詳細については後述する。
【００６０】
（位置判定手段143）
位置判定手段143は、停止図柄記憶手段141の記憶している停止図柄情報をもとに、各回転リール40に表示されている図柄のうち、同一の図柄番号（例えば図柄番号２１）の図柄（以下位置決め図柄という）の現在位置を回転リール40ごとに把握するとともに、回転中の回転リール40の所定の当選図柄の現在位置を回転リール40ごとに把握するためのものである。
位置決め図柄の現在位置の特定は、停止図柄情報に係る図柄の図柄番号と位置決め図柄の図柄番号とを対比することにより行う。例えば、停止図柄記憶手段141が、左リール41の図柄表示窓13の上段位置の図柄を図柄番号２と記憶している場合には、左リール41の位置決め図柄は上段位置から反回転方向側２コマ目にあると特定する。また、中リール42の上段位置の図柄を図柄番号２０と記憶している場合には、中リール21の位置決め図柄は図柄表示窓13の中段位置にあると特定する。同様に、右リール43の上段位置の図柄を図柄番号１９と記憶している場合には、中リール21の位置決め図柄は図柄表示窓13の下段段位置にあると特定する（図１０（Ａ）参照）。
【００６１】
また、回転中の回転リール40の所定の図柄（例えば図９に示す各回転リール40において図柄番号が同一の図柄）の現在位置は、回転リール40の回転開始前に、前記位置決め図柄の特定と同様に、停止図柄情報に基づいて、所定の図柄番号の図柄の図柄表示窓13との関係における現在位置を特定しておき、リールモータM1〜M3の駆動開始からのパルス発信装置の発信パルス数をカウントして回転リール40が何コマ分回転したかを把握することにより判断する。例えば、回転リール40が１回転するのに５０４ステップを要する（発信パルス数が５０４）とすると、回転リール40が１コマ分回転するのに要するステップ数は２４ステップである。なお、このカウントは、リール停止制御手段130の図柄位置の特定とは無関係であるので、スタートインデックスがインデックスセンサ60Aを通過していなくても問題ない。つまり、回転リール40の回転開始直後から、図柄の現在位置を把握できる。
【００６２】
なお、位置判定手段143としては、インデックス検知後の、図柄判定手段131の図柄の現在位置の特定に基づいて、上記図柄位置を特定可能であってもよい。
（配列表示制御手段144）
配列表示制御手段144は、前記位置判定手段143により特定された図柄位置に基づいて、回転リール40の回転開始態様、すなわち回転開始順番及び回転開始タイミング、又は回転開始時の加速度を決定し、複数の回転リール40を所定図柄が揃った状態（リーチ表示状態）で回転させるためのものである。
具体的には、配列表示制御手段144は、リールモータM1〜M3を駆動開始させるためのスタート信号の出力時期、リールモータM1〜M3を駆動させるためのパルス周波数を決定し、これらの決定に基づいて、リール回転制御手段120が回転リール40の回転開始（リールモータM1〜M3の駆動）を制御するものである。
【００６３】
ここで、配列表示制御としては、(1)複数の回転リール40の回転開始タイミングをずらすことにより位置決め図柄を並列させる制御と、(2)複数の回転リール40を同時に回転開始させ各回転リール40の回転開始時及び回転開始後の速度を変化させることにより位置決め図柄を並列させる制御を行わせることができる。以下、それぞれについて、図１０及び図１１に基づき、具体例を挙げて説明する。
(1)複数の回転リール40の回転開始タイミングをずらす場合
この制御では、各回転リール40の回転開始順番、回転開始タイミングを決定し、３個の回転リール40の位置決め図柄が横一列に並ぶようにする。
【００６４】
まず、位置判定手段143によって特定された各回転リール40の位置決め図柄の現在位置から、各回転リール40の回転開始順番を決定する。具体的には、位置決め図柄がリールの回転方向側に位置している回転リール40ほど後に回転開始するように回転開始順番を決定する。例えば、各回転リール40の位置決め図柄が、図１０（Ａ）に示すような配置となっていた場合、回転開始順番は左リール41、中リール42、右リール43の順となる。なお、位置決め図柄が同列に位置している回転リール40は、同時に回転開始するものとする。
次に、決定された回転開始順番と、各回転リール40の位置決め図柄の位置（前後に回転開始する回転リール40の位置決め図柄と何コマ離れているか）、及び維持させる一定速度（低速回転速度）と一定速度に達するまでの加速度に応じて、回転開始タイミングを決定する。ここで、低速回転速度は、単位時間当たりに回転リール40の図柄が２コマ移動する速さに設定されており、リールモータM1〜M3の駆動開始時の加速度は、駆動開始時から回転リール40の図柄が１コマ移動する間に低速回転に達するような加速度設定とされている（加速度変更手段123にそのような設定が指示される）ものと仮定する。
【００６５】
そして、例えば、図１０（Ａ）に示すように、最初に回転開始する左リール41の位置決め図柄と二番目に回転開始する中リール42の位置決め図柄との間が２コマ離れており、二番目に回転開始する中リール42の位置決め図柄と、三番目に回転開始する右リール43の位置決め図柄との間が１コマ離れている場合、左リール41の位置決め図柄が中リール42の位置決め図柄の１コマ手前（反回転方向側）の位置となるまで左リール41が回転したときに、中リール42を回転開始させる（図１０（Ｂ）参照）。中リール42が加速して位置決め図柄が１コマ移動する間に左リール41の位置決め図柄は２コマ移動するので、中リール42が低速回転に達したときには左リール41の位置決め図柄と中リール42の位置決め図柄が並列した状態となる。このとき、右リール43を回転開始させる（図１０（Ｃ）参照）。上記と同様に、右リール43が加速して位置決め図柄が１コマ移動する間に左リール41及び中リール42の位置決め図柄は２コマ移動するので、右リール43が低速回転に達したときには、３個の回転リール41,42,43の位置決め図柄が並列した状態となる（図１０（Ｄ）参照）。
【００６６】
このようにして、３個の回転リール41,42,43の位置決め図柄が横一列に並んだ状態で、同一の低速回転速度で回転するものとなる。そして、前述したように、同じ図柄番号の位置決め図柄が横一列に並んでいるということは、同じ図柄番号に配置されている図柄「７」「Ｃｈａｎｃｅ」「スイカ」「ベル」「リプレイ」も横一列に並んでいることになる。
なお、上記した具体例における回転速度や加速度の設定は説明を簡易にするために単純化したものであり、実際に行われる制御で用いられる数値を示すものではない。
ここで、上記した回転開始のタイミングは、回転開始順番と位置決め図柄の位置（距離）に応じて回転開始のタイミング（何ステップ目にスタート信号を出力するか）が予め定められたスタートタイミングテーブルを用いて決定することができる。この場合、配列表示制御手段144は、決定した回転開始順番に応じて取得するスタートタイミングテーブルを選択するとともに、取得したスタートタイミングテーブルに基づいてスタートタイミングを決定する。そして、配列表示制御手段144が決定したスタートタイミングに基づき、スタート信号出力手段121がスタート信号を出力することとなる。
【００６７】
具体的には、特に図示しないが、スタートタイミングテーブルは、二番目に回転開始する回転リール40のスタートタイミングを、最初の回転開始する回転リール40の位置決め図柄との差コマ数（加速に要するコマ数を除く）に応じて、リールモータの回転ステップ数により規定した第一テーブルと、三番目に回転開始する回転リール40のスタートタイミングを、最初に回転開始した回転リール40の位置決め図柄との差コマ数に応じて、リールモータの回転ステップ数により規定した第二テーブルとから構成されている。
そして、回転リール40の回転開始前において、３個の回転リール40の位置決め図柄が３つ並列している場合には、配列表示制御手段144はスタートタイミングテーブルを取得せず、３個の回転リール40の同時回転を決定する。この決定に応じてスタート信号出力手段121は、３個のリールモータM1〜M3に、同時にスタート信号を出力する。位置決め図柄が２つ並列している場合には、配列表示制御手段144は前記第一テーブルのみを取得し、二番目に回転開始させる回転リール40のスタートタイミングを決定する。この決定に応じてスタート信号出力手段121は、最初に回転開始させる回転リール40の駆動モータ（複数の場合もある）にスタート信号を出力した後、回転開始させたリールモータが決定に係るステップ数だけ回転したときに、二番目に回転開始させる回転リール40の駆動モータ（複数の場合もある）にスタート信号を出力する。位置決め図柄が３つともばらけている場合には、配列表示制御手段144は前記第一テーブル及び第二テーブルを取得し、二番目及び三番目に回転開始させる回転リール40のスタートタイミングを決定する。この決定に応じてスタート信号出力手段121は、最初に回転開始させる回転リール40の駆動モータにスタート信号を出力した後、最初に回転開始させたリールモータが第一テーブルでの決定に係るステップ数だけ回転したときに、二番目に回転開始させる回転リール40の駆動モータにスタート信号を出力し、さらに最初に回転開始させたリールモータが第二テーブルでの決定に係るステップ数だけ回転したときに、三番目に回転開始させる回転リール40の駆動モータにスタート信号を出力する。
【００６８】
なお、上記したようにスタートタイミングテーブルを用いて回転開始時に位置決め図柄を揃えた後、３個の回転リール40のインデックスセンサ60Aの検知信号の受信タイミングが一致しているか否かを判断し、検知タイミングがずれている場合には、ずれている回転リール40の加速度を微調整するための補正テーブルを用いて回転速度を修正することにより、より確実に回転リール40の図柄（位置決め図柄及びその他の図柄）を並列させることができる。
(2)複数の回転リール40を同時に回転開始させる場合
この制御では、各回転リール40の回転開時の加速度を決定し、３個の回転リール40の位置決め図柄が横一列に並ぶようにする。
【００６９】
まず、位置判定手段143によって特定された各回転リール40の位置決め図柄の現在位置から、各回転リール40の回転開始時のリールモータの加速度を設定する。例えば、回転リール40の停止時に、位置決め図柄が図１１（Ａ）に示すような位置にあった場合、左リール41については、リールモータの起動時に一定時間で図柄５コマ分回転させることができる加速度を設定する。また、中リール42についてはリールモータの起動時に一定時間で図柄２コマ分回転させることができる加速度を、右リール43についてはリールモータの起動時に一定時間で図柄１コマ分回転させることができる加速度を設定する。
そして、３個の回転リール40を同時に回転開始させると、一定時間後に、各回転リール40の位置決め図柄が横一列に並列する位置となる（図１１（Ｂ）参照）。そこで、右リール43の速度を一定（例えば低速回転速度）に保ち（加速度０とし）、左リール41については、右リール43が低速回転で所定コマ数（例えば２コマ）回転する間に、左リール41が同じコマ数分だけ回転して右リール43と同じ速度となるように減速（加速度をマイナス設定）し、中リール42についても同様に減速することにより、３個の回転リール40の回転速度を同じにする。
【００７０】
なお、上記(1)と同様に、上記した具体例における回転速度や加速度の設定は説明を簡易にするために単純化したものであり、実際に行われる制御で用いられる数値を示すものではない。
また、この制御方法においても、位置決め図柄の位置（距離）に応じて回転開始時の加速度設定と回転開始後の加速度設定（何ステップ目にどの程度加速又は減速させるか）が予め定められた加速度決定テーブルを用いて決定することができる。この場合、配列表示制御手段144は、位置決め図柄の位置に応じて取得する加速度設定テーブルを選択するとともに、取得した加速度設定テーブルに基づいて回転開始時及び回転開始後の加速度を決定する。そして、配列表示制御手段144が決定した加速度設定に基づき、加速度変更手段123が加速度の変更をすることとなる。
【００７１】
具体的には、特に図示しないが、加速度設定テーブルは、３個の回転リール40の位置決め図柄の差コマ数に応じて、３個の回転リール40の各位置決め図柄を一定時間で並列状態とさせることができる回転開始時の第一加速度と、並列状態となった後に３個の回転リール40の回転速度を同一にするための第二加速度と、第一加速度から第二加速度に変更させる好適なタイミングをリールモータの回転ステップ数により規定したものである。
そして、回転リール40の回転開始前において、３個の回転リール40の位置決め図柄が３つ並列している場合には、配列表示制御手段144は加速度設定テーブルを取得せず、３個の回転リール40の加速度を同一と決定する。この決定に応じて加速度変更手段123は、スタート信号出力時に３個の回転リール40を同一の加速度で加速させ低速回転速度に達したら加速度を０とする。位置決め図柄が３つ並列していない場合には、配列表示制御手段144は加速度設定テーブル取得し、３個のあるいは２個の回転リール40の加速度設定を決定する。この決定に応じて加速度変更手段123は、スタート信号出力時に３個の回転リール40をそれぞれテーブルに定められた加速度で加速させ、所定タイミングで（所定ステップカウント後に）第二加速度に変更し、その後低速回転速度に達したら加速度を０とする。
【００７２】
なお、(2)の制御においても、例えば低速回転後に、３個の回転リール40のインデックスセンサ60Aの検知信号の受信タイミングが一致しているか否かを判断し、検知タイミングがずれている場合には、ずれている回転リール40の加速度を微調整するための補正テーブルを用いて回転速度を修正することにより、より確実に回転リール40の図柄（位置決め図柄及びその他の図柄）を並列させることができる。
ここで、配列表示制御手段144は、上記した制御(1)(2)のうちいずれかを実行可能であればよいが、双方を実行可能であってもよい。又この場合、いずれの制御を用いるかは、抽選により決定してもよいし、当選判定の抽選結果やその他の遊技状態に応じて決定してもよい。あるいは、位置決め図柄の位置に応じて決定してもよい。
【００７３】
例えば、回転リール40を異なるタイミングで回転開始させる制御(1)は、各回転リール40の位置決め図柄の位置が離れていても、少なくとも回転リール40が一回転する間に位置決め図柄を並列状態とすることが可能だが、回転リール40を同時に回転させる制御(2)では、各回転リール40の位置決め図柄の位置が離れている場合、位置決め図柄が並列状態となるのに時間がかかるという難点がある。そこで、位置決め図柄の最大距離（離れているコマ数）が５コマ以下の場合には制御(2)を用い、それ以上の場合（最大は１０コマ）には制御(1)を用いるというように使い分けてもよい。
さらに、(2)の制御の変形例として、回転リール40を同一の加速度で回転開始させ、その後、回転中の回転リール40の加速度を変更して所定のリールを加速又は減速し、位置決め図柄を揃えるようにしてもよい。
【００７４】
加えて、複数の回転リール40を同時に回転開始させる場合には、３個の回転リール40のスタートインデックスが検知されたら、その検知タイミングに応じて加速度を変化させ、位置決め図柄が横一列に並ぶようにするようにしてもよい。加速度の設定は、３個の回転リール40の最初のインデックス検知の間隔（ステップ数）に応じて、第一加速度及び第二加速度と変更タイミングを規定した加速度設定テーブルを用いて決定することができる。ここで、スタートインデックスは、各回転リール40において同じ位置に設けられており、スタートインデックスに合わせて所定の図柄（例えば図柄番号１の図柄）が位置するようリールテープを貼り付けてあるので、スタートインデックスが同時に検知される（スタートインデックスの位置が揃う）場合には、必ず、隣接する回転リール40の図柄は同じ図柄番号となっている。従って、３個の回転リール40のインデックスの検知間隔とは、位置決め図柄の差コマ数と同義である。
【００７５】
そして、加速度設定の決定後は、上記と同様に、加速度変更手段123が決定に応じた加速度変更処理を行う。このように形成した場合には、３個の回転リール40の同一図柄番号の図柄のズレを検知するのに、最大、回転リール40が一回転する時間を要し、その後離れているそれらの図柄を同列にするために時間がかかる場合があるが、停止図柄情報を記憶する必要がない（停止図柄記憶手段141を設けなくてもよい）という利点がある。
（定常回転移行制御手段145）
定常回転移行制御手段145は、上記配列表示制御手段144によってリーチ表示がなされた３個の回転リール40を、所定の契機で定常回転に移行させるためのものである。すなわち、定常回転移行制御手段145は、加速度変更手段123が回転リール40の回転速度を低速回転速度から定常回転速度となるよう加速度を変化させるタイミングを決定するためのものである。
【００７６】
ここで、定常回転に移行する契機は、当選を報知する報知パターンＡ、不当選の場合の報知パターンＢで異なるものとなる。
まず、前記実行決定手段142がパターンＡのリーチ演出の実行を決定した場合には、前記配列表示制御手段144が全ての回転リール40の位置決め図柄を並列させ（当選図柄も並列している）、同じ回転速度（低速回転速度）とした後、当選図柄の列が図柄表示窓13の枠内に位置している間に、全ての回転リール40を加速させて、低速回転から定常回転へと移行させる。例えば、ＢＢが当選している場合、ＢＢ当選図柄の「７」の列（図柄番号５）が図柄表示窓13の上段に位置したときに加速を開始させ当選図柄の列が図柄表示窓13の下段に位置したときに定常回転となるよう加速度を設定することができる。あるいは、「７」の列が図柄表示窓13の上段の１コマ上側に位置したときに加速を開始させ、当選図柄の列が図柄表示窓13の中段を通過するときに定常回転となるように設定してもよい。
【００７７】
一方、前記実行決定手段142がパターンＢのリーチ演出の実行を決定した場合には、並列している図柄の列が図柄表示窓13から外れたところで加速させて、低速回転から定常回転へと移行させる。例えば、図９において、図柄番号３の図柄が図柄表示窓13の上段に位置したときに加速を開始させて、図柄番号１の図柄が図柄表示窓13の下段に位置したとき（図柄表示窓13内には並列図柄はない）に定常回転となるよう加速度を設定することができる。あるいは、定常回転に移行させる前に、各回転リール40の加速度を変化させて、回転リール40の回転速度をそれぞればらばらにすることにより横一列に並んでいる図柄をばらけさせ、その後定常回転に移行させるようにしてもよい。例えば、左リール41（中でも右でもよい）を加速し、右リール43（左でも中でもよい）を減速することにより、並列している図柄が前後に移動する。その状態で再び元の速度に戻せば、並列していた図柄がばらけた状態のまま３個の回転リール40が同じ速度で回転する。
【００７８】
（ホッパー制御手段150）
ホッパー制御手段150は、入賞判定手段160からのメダル払い出し信号や、精算スイッチ17の操作信号に基づいて、ホッパーユニット65を作動させるためのものである。
（入賞判定手段160）
入賞判定手段160は、当選判定の抽選結果が当選の場合に、ストップスイッチ50の操作で３個の回転リール40の当選図柄を入賞の態様に停止させることができたかどうかを判断し、当選図柄を入賞の態様に停止させることができた場合には入賞を決定する。具体的には、リール停止制御手段130の図柄判定手段131から出力される停止図柄情報に基づいて、有効ライン上に当選図柄が入賞の態様で停止したかどうかを判断する。
【００７９】
そして、入賞がメダル払い出しを伴う場合には、ホッパーユニット65に遊技メダルの払い出し信号を出力し、ボーナスゲーム入賞などの特別入賞の場合には、特別遊技制御手段80に特別遊技を開始させたりするためのものである。
（スロットマシン10の作動）
次に、上記構成を有するスロットマシン10の作動の概略を、図３乃至図８のフローに基づき説明する。
先ず、図３に示すステップ１００において、スタートスイッチ30がＯＮとなったか否かが判断される。スタートスイッチ30がＯＮにならない場合には、ステップ１００に戻る。一方、スタートスイッチ30がＯＮとなった場合には、次のステップ１０１に進む。
【００８０】
ステップ１０１において、当選抽選手段110により抽選処理が行われる。そして、次のステップ１０２に進む。
ステップ１０２において、リール回転制御手段120により、回転リール40の回転開始処理が行われる。そして、次のステップ１０３に進む。
ステップ１０３において、いずれかのストップスイッチ50がＯＮとなったか否かが判断される。ストップスイッチ50がＯＮとならない場合には、ステップ１０３に戻り、ストップスイッチ50がＯＮとなった場合には、次のステップ１０４に進む。
ステップ１０４において、回転リール40の回転停止処理が行われる。そして、次のステップ１０５に進む。
【００８１】
ステップ１０５において、停止図柄記憶手段121により停止図柄が記憶される。そして、次のステップ１０６に進む。
ステップ１０６において、３個の回転リール40に対応するストップスイッチ50の操作が行われたか否かが判定される。そして、３個の回転リール40に対応するストップスイッチ50の操作が行われていないと判定された場合、ステップ１０３に戻る。一方、３個の回転リール40に対応するストップスイッチ50の操作が行われたと判定された場合には、次のステップ１０７に進む。
ステップ１０７において、当選フラグ成立中に当該当選フラグに対応する当選図柄が有効ライン上に揃ったか否か、すなわち、入賞したか否かが判定される。そして、入賞したと判定された場合、次のステップ１０８に進む。
【００８２】
ステップ１０８において、メダルの払い出しその他の入賞処理が行われる。そして、遊技が終了する。
前記ステップ１０７において、入賞していないと判定された場合、ステップ１０８を飛び越して、遊技が終了する。
上述したステップ１０１の抽選処理について、図４のフローを用いて説明する。
ステップ２００において、当選抽選手段110の乱数発生手段111により発生された乱数の中から乱数抽出手段112により乱数が抽出される。そして、次のステップ２０１に進む。
ステップ２０１において、抽出された乱数が乱数抽出手段112の内部に記憶される。そして、次のステップ２０２に進む。
【００８３】
ステップ２０２において、判定手段114により、抽出された乱数と、当選判定テーブル113の当選判定領域データとの比較が行われる。そして、次のステップ２０３に進む。
ステップ２０３において、判定手段114により、抽出された乱数が、当選判定テーブル113のどの当選領域に含まれるか決定され、抽選処理の評価が決定される。そして、次のステップ２０４に進む。
ステップ２０４において、所定の図柄の蹴飛ばしと、所定図柄の引き込みとが設定される。そして、抽選処理が終了する。
上述したステップ１０４の回転リール40の回転停止処理について、図５を用いて説明する。
【００８４】
ステップ３００において、所定の図柄に対して、蹴飛ばしの設定が達成されたか否かが判定される。そして、所定の図柄の蹴飛ばしの設定が達成されていないと判定された場合、次のステップ３０１に進む。
ステップ３０１において、１個の図柄分だけ、回転リール40を回転させる。すなわち、１個の図柄分だけ蹴飛ばしを行う。そして、次のステップ３０２に進む。
ステップ３０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ３０３に進む。
【００８５】
ステップ３０３において、回転リール40の回転を停止させる。これにより、メダル投入から回転リール40の回転停止までのスロットマシン10の動作が終了する。
前記ステップ３００において、所定の図柄の蹴飛ばしの設定が達成されていると判定された場合、次のステップ３０４に進む。
ステップ３０４において、いずれかの図柄に対して引き込みが設定されているか否かが判定される。そして、いずれかの図柄に対して引き込みが設定されていると判定された場合、次のステップ３０５に進む。
ステップ３０５において、引き込み設定が達成されたか否かが判定される。そして、引き込み設定が達成されたと判定された場合、次のステップ３０３に進む。
【００８６】
前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
前記ステップ３０２において、ストップスイッチ50を操作した後、１図柄ずつ回転リール40を回転させてずらした図柄の数が４個目でない場合には、ステップ３００に戻る。
ここで、回転リール40の停止処理に関してステップ３０１〜ステップ３０５で説明しているが、この例は、いわゆる最小引き込み停止制御の例であり、逆に最大引き込み停止制御としても良い。更には、例えば、ストップスイッチ50を押すタイミングで予め定めたテーブルに従って回転リール40の停止位置を決定する、いわゆるテーブル停止制御の方法によるものでもよい。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
【００８７】
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
次に、図３におけるステップ１０２のリール回転開始処理について、図６のフローに基づき説明する。
【００８８】
まず、図６のステップ４００において、リーチ演出を行うか否かの抽選に当選したか否かが判断される。演出抽選に当選した場合には、次のステップ４０１に進む。
ステップ４０１において、リーチ演出実行処理が行われる。そして、次のステップ４０３に進む。
前記ステップ４００において、演出抽選に当選していない場合には、ステップ４０２に進む。
ステップ４０２において、全ての回転リール40を通常の加速度で同時に回転開始させる。そして、次のステップ４０３に進む。
【００８９】
ステップ４０３において、全ての回転リール40が定常回転に達したか否かが判断される。定常回転に達していない場合には、ステップ４０３に戻り、定常回転に達した場合には、次のステップ４０４に進む。なお、回転リール40が定常回転に達すると、定常回転報知部18のランプが点灯して、定常回転になったことが報知される。
ステップ４０４において、所定の遊技制限時間（４．１秒）が経過したか否かが判断される。遊技制限時間が経過していない場合にはステップ４０４に戻り、遊技制限時間が経過した場合には、次のステップ４０５に進む。
ステップ４０５において、停止操作無効解除手段122が停止操作の無効を解除する。そして、リール回転開始処理を終了する。
【００９０】
次に、前記ステップ４０１のリーチ演出実行処理について、制御例１と制御例２に分けて説明する。ここで、制御例１は、回転リール40の回転開始タイミングをずらして位置決め図柄を並列させるようにした場合、制御例２は回転リール40を同時に回転開始させ加速度設定によって位置決め図柄を並列させるようにした場合の例である。
図７は制御例１を示す。
まず、図７のステップ５００において、当選抽選手段110の抽選結果が所定の当選役に当選か否かが判断される。所定の当選役とは、図９に横一列に表示されている図柄配列からなる当選役である。所定の当選役に当選している場合には、次のステップ５０１に進む。
【００９１】
ステップ５０１において、リーチ演出のパターンＡの実行を決定する。そして、次のステップ５０２に進む。
ステップ５０２において、停止位置記憶手段141の記憶している停止位置情報に基づいて、各回転リール40の位置決め図柄の現在位置を特定する。そして、次のステップ５０３に進む。
ステップ５０３において、３個の回転リール40の各位置決め図柄が３個揃っているか否かが判断される。位置決め図柄が３個揃っていない場合、すなわち、３個の位置決め図柄の位置がばらけている場合及び２個の位置決め図柄が揃っているが１個がずれている場合には、次のステップ５０４に進む。
【００９２】
ステップ５０４において、位置決め図柄の位置に応じて、回転リール40の回転開始順番を決定する。そして、次のステップ５０５に進む。
ステップ５０５において、回転開始順番と位置決め図柄の位置（差コマ数）に対応したスタートタイミングテーブルを取得する。そして、次のステップ５０６に進む。
ステップ５０６において、所定のタイミングで各回転リール40を回転開始させる。すなわち３個の位置決め図柄が揃っている場合には、３個の回転リール40を同一加速度で同時に回転開始させ、位置決め図柄がずれている場合にはスタートタイミングテーブルに応じて回転開始のタイミングをずらして同一加速度で回転開始させ、所定の低速回転速度に達したところでその速度を維持させる。そして、次のステップ５０７に進む。
【００９３】
ステップ５０７において、３個の回転リール40のインデックス検知タイミングが一致したか否かが判断される。インデックス検知タイミングが一致しない場合（検知のズレが所定の誤差範囲、例えば１／２コマ分を超えている場合）には、次のステップ５０８に進む。
ステップ５０８において、検知のズレに応じた加速度修正テーブルに基づいて、位置がずれている回転リール40の加速度を変更（加速又は減速）して回転速度を調整する。そしてステップ５０７に戻る。
前記ステップ５０７において、３個の回転リール40のインデックス検知タイミングが一致している場合（検知のズレが所定の誤差範囲内）の場合には、ステップ５０９に進む。
【００９４】
ステップ５０９において、当選図柄の並び（特定の図柄番号の当選図柄）が図柄表示窓13の上段に位置したか否かが判断される。なお、この制御例においては、この判断を回転リール40が少なくとも一回転した後に行っているので、特定の図柄番号の当選図柄の現在位置は、リール停止制御手段130の図柄判定手段131の判定に基づいて特定してもよい。当選図柄の並びが図柄表示窓13の上段に位置していない場合にはステップ５０９に戻り、当選図柄の並びが図柄表示窓13の上段に位置した場合には、次のステップ５２０に進む。
ステップ５２０において、全ての回転リール40を定常回転速度まで加速する。そして、リーチ演出実行処理を終了する。
【００９５】
前記ステップ５００において、所定の当選役に当選していない場合には、ステップ５１０に進む。
ステップ５１０において、リーチ演出のパターンＢの実行を決定する。そして、次のステップ５１１に進む。
ステップ５１１において、処理Ｘを実行する。すなわち、前記ステップ５０２〜５０８の処理を行わせる。そして、次のステップ５１２に進む。
ステップ５１２において、横一列に並んでいる図柄列が図柄表示窓13の枠内から外れたか否かが判断される。並び図柄の現在位置も、上記したように、図柄判定手段131の判定に基づいて特定してもよい。そして、ステップ５２０に進む。
【００９６】
このように、制御例１によれば、当選判定の抽選結果が所定の当選役に当選の場合には、当選図柄の並びが図柄表示窓13を通過する際に回転リール40が定常回転に達するので、通過した図柄が当選図柄であると知ることができる。回転リール40が定常回転となってストップスイッチ50が操作可能となったら、速度が変化したときの図柄を狙って目押しをすればよい。一方、抽選結果がハズレの場合には、当選の場合と同様にリールの回転開始時に図柄が横並びのリーチ表示となるものの、並列している図柄が図柄表示窓13を通過する際に回転リール40が定常回転とならないので、抽選結果がハズレだと知ることができる。しかし、遊技者は、低速回転している回転リール40の並列している図柄が図柄表示窓13を通過する度に、いつ速度が変化するかを見逃さないように観察するようになり、緊張感をもって遊技を行うことができる。
【００９７】
次に、図８の制御例２を説明する。
まず、ステップ６００において、当選抽選手段110の抽選結果が所定の当選役に当選か否かが判断される。所定の当選役に当選している場合には、次のステップ６０１に進む。
ステップ６０１において、リーチ演出のパターンＡの実行を決定する。そして、次のステップ６０２に進む。
ステップ６０２において、全ての回転リール40を同時に回転開始させ、同一の加速度で低速回転速度まで加速する。そして、次のステップ６０３に進む。
ステップ６０３において、３個の回転リール40について最初のスタートインデックス検知信号を受信したら、その受信間隔を記憶する。そして、次のステップ６０４に進む。
【００９８】
ステップ６０４において、検知間隔に応じた加速度設定テーブルを取得する。そして、次のステップ６０５に進む。
ステップ６０５において、取得した加速度設定テーブルに応じて、各回転リール40の加速度を変更する。そして、ステップ６０６に進む。
ステップ６０６〜６２０までの流れは、上記した図７のステップ５０７〜５２０までの流れと同様である。
前記ステップ６００において、所定の当選役に当選していない場合には、ステップ６１０に進む。
【００９９】
ステップ６１０において、リーチ演出のパターンＢの実行を決定する。そして、次のステップ６１１に進む。
ステップ６１１において、処理Ｘ'を実行する。すなわち、前記ステップ６０２〜６０７の処理を行わせる。そして、次のステップ６１２に進む。
ステップ６１２において、少なくともいずれか１の回転リール40について加速度を異ならせる（加速又は減速）ことにより、並列状態の図柄配列をばらけさせる。そして、ステップ６２０に進む。
なお、前記ステップ６１２において、並列している図柄が図柄表示窓13から外れた場合に定常回転に移行するようにしてもよい。また、図８の処理Ｘ’を、停止図柄記憶手段141の記憶している停止図柄情報に基づく加速度設定テーブルを用いて行ってもよい。さらに、図７のステップ５１２において、少なくともいずれか１の回転リール40の加速度を変化させて並列している図柄をばらけさせるようにしてもよい。
【０１００】
また、位置決め図柄を並列させる制御方法としては、上記した制御例１、制御例２の他に、回転開始タイミングを異ならせるとともに、回転中の回転リール40の位置決め図柄が停止している位置決め図柄と並列したら回転中の回転リール40をストップスイッチ50の操作に因らず一時停止させて、位置決め図柄を揃えた状態で同時に回転開始させるようにしてもよい。
このように、本実施の形態によれば、回転リール40が定常回転に移行する前に、所定の当選図柄の配列を横並びに揃えた状態で低速回転させ、図柄が横並びに揃った状態で図柄表示窓13を通過する際に定常回転に移行すると当選を示唆するものとしてあるので、パチンコ遊技機のリーチ演出のような高揚感をスロットマシンで表現することができ、斬新な演出を提供することができる。
【０１０１】
また、本実施の形態においては、各回転リール40の図柄配置を、図９に示すように、複数の回転リール40のいずれかの当選役を表示する図柄配列が並列している場合には、他の当選役を表示する図柄配列も並列するような図柄配置としてあるので、上記したような演出表示を容易に行うことができるものである。
なお、図７、図８のフローにおいては、報知パターンＡを行う場合には、当選図柄の並びが図柄表示窓13の上段に位置した場合に必ず定常回転に移行させる流れとなっているが、パターンＡが選択された場合でも、並列図柄が図柄表示窓13から視認できる間に定常回転に移行させない場合もあるように形成してもよい。具体的には、パターンＡ選択後の所定時に、定常回転に移行させるか否かの抽選を行い、その結果に基づいて定常回転に移行させるかさせないかを決定する。定常回転に移行させない場合には、当選図柄の並びが図柄表示窓13から外れたときに定常回転に移行させるようにすることができる。
【０１０２】
（リーチ演出の変形例）
上記リーチ演出において、定常回転に移行させる際に、他の演出表示を組み合わせるようにしてもよい。
例えば、当選図柄の配列が図柄表示窓13の上段、中段、下段のいずれかに位置するタイミングで、スピーカ69から所定の音声を出力させたり、回転リール40のバックライト（図示せず）を点灯させたりする演出（以下、段階報知演出という）を行わせることができる。
この場合、当選図柄の配列が図柄表示窓13の上段、中段、下段に位置する度に、段階報知演出が行われる（３回報知）ときと、上段又は中段又は下段に位置したときのみ、あるいは、上段と中段又は中段と下段又は上段と下段に位置したときのみに、段階報知演出が行われる（３回以下の報知）ときとで、報知の信頼度が異なるように設定してもよい。
【０１０３】
具体的には、定常回転移行時に３回報知がされた場合には当選確定、２回報知の場合には確率５０％、１回報知の場合には確率３０％、のように設定することができる。これは、段階報知演出の実行態様（３回報知、２回報知、１回報知）を抽選により決定する際に、３回報知は当選判定の抽選結果が当選の場合のみ行われ、２回報知は当選判定の抽選結果が当選の場合でもハズレの場合でも５０％の確率で行われ、１回報知は当選判定の抽選結果が当選の場合でもハズレの場合でも３０％の確率で行われるように、その抽選確率を設定すればよい。
また、並列図柄が図柄表示窓13を通過する際に定常回転に移行させるものの、前記した段階報知演出を行わないことにより、当選判定の抽選結果がハズレであることを示唆することができる。
【０１０４】
（本発明の他の実施の形態）
上記した実施の形態では、当選図柄が図柄表示窓13を通過する際に、遊技機の制御によって定常回転に移行させることにより、当選を報知するものとなっていたが、定常回転への移行契機を、遊技者による操作手段（定常回転移行操作スイッチ）の操作に基づくものとする、いわゆる遊技者参加型の演出としてもよい。
例えば、並列した図柄が図柄表示窓13を通過する際に、所定の操作手段、例えばスタートスイッチ30を操作する。そして、その図柄が当選図柄である場合には定常回転に移行するが、当選図柄でない場合には定常回転に移行しないように形成することができる。具体的には、定常回転移行制御手段145は、回転リール40が低速回転中にスタートスイッチ30の操作信号を受信した場合には、当選図柄の並びが図柄表示窓13の上段、中段、下段のいずれかに位置しているかどうかを判断し、いずれかの位置にあった場合には定常回転に移行させる。これにより遊技者は、その図柄配列に係る当選役の当選を知ることができる。
【０１０５】
一方、当選判定の抽選結果がハズレの場合には、スタートスイッチ30の操作信号受信時に、並列図柄が図柄表示窓13の上段、中段、下段のいずれかに位置していた場合でも、定常回転に移行させない。これにより遊技者はハズレを知ることができる。なお、この場合には、並列している図柄が図柄表示窓13から外れたときに定常回転に移行させるようにしてもよいし、一定期間（例えば一定時間経過後、回転リール40が師を所定回転数回転した後）に自動的に定常回転に移行させるようにしてもよい。
また、当選判定の抽選結果が所定の当選役に当選していたが、スタートスイッチ30の操作信号受信時に、当該当選図柄の並びが図柄表示窓13の上段、中段、下段のいずれかに位置していない場合には、定常回転に移行させないで、低速回転を継続させる。これにより、遊技者は何らかの役が当選していることを知ることができ、今度は並列している他の図柄が図柄表示窓13に位置したときにスタートスイッチ30を操作することができる。そして、低速回転の期間は、例えばリールが３回転するまで（スタートインデックスが３回検知されるまで）と予め設定しておき、この期間内に、当該当選図柄の並びが図柄表示窓13に位置しているときにスタートスイッチ30を操作できれば、定常回転移行によって当選の報知を受けられる。しかし、低速回転で３回転する間に上記タイミングでスタートスイッチ30を操作できなかった場合には、３回転終了後に自動的に定常回転に移行させるようにすることができる。
【０１０６】
なお、定常回転移行操作スイッチは、スタートスイッチ30以外のスイッチ、例えばベットスイッチ16やストップスイッチ50でもよい。あるいは、リーチ演出専用のスイッチを設けてもよい。また、操作手段の操作タイミングは、リール回転停止制御の場合のように入賞ラインとの関係で操作位置を厳密に特定する必要はなく、当選図柄が図柄表示窓13の上段から下段までの範囲内に位置しているときに操作手段が操作されたことが判断できればよい。
さらに、定常回転に移行させる際に、上記変形例で述べた段階報知演出を行わせるようにしてもよい。この場合にも、段階報知演出の有無によってハズレを示唆したり、定常回転への移行の有無と段階報知演出の態様によって報知の信頼度を表現したりすることができる。例えば、回転リール40が低速回転中に所定の並列図柄が図柄表示窓13を通過するタイミングでスタートスイッチ30を操作した場合に、定常回転に移行するとともに３回報知の追加演出が行われた場合には当選確定、定常回転に移行するとともに１回報知の追加演出が行われた場合には確率８０％、定常回転に移行しなかったが３回報知の追加演出が行われた場合には確率５０％、というように、演出表示の信頼度を設定することができる。
【０１０７】
ところで、上記した実施の形態及び変形例では、当選役に係る図柄を横一列に表示させて回転リール40を低速回転させるように形成してあったが、当選役に係る図柄が右上がり又は右下がりに一直線となった状態で回転リール40を低速回転させるようにしてもよい。この場合、定常回転に移行させるタイミングとしては、並列図柄が当選図柄の場合には、少なくともいずれか１の回転リールの並列図柄が図柄表示窓13に位置している場合に定常回転に移行させ、並列図柄が当選図柄でない場合には、並列図柄の並びがすべて図柄表示窓13から外れた場合に定常回転に移行させるようにするとよい。
また、上記した実施の形態及び変形例では、リーチ演出において、リーチ表示を遊技者に見せたいという観点から、定常回転よりも遅い回転速度で回転リール40を回転させ、所定のタイミングで定常回転に戻すように形成してあったが、本発明においては、定常回転よりも速い回転速度で回転リール40を回転させておき、所定のタイミングで定常回転に戻すように形成してもよい。要は、回転リール40の回転速度の変化が判るようになっていればよいものである。
【０１０８】
また本発明は、スロットマシン以外の遊技機にも応用できる。例えば、遊技媒体として遊技球（パチンコ球）を用いてスロットマシンと同様の遊技を行わせるパロット遊技機などにも応用できるものである。
【図面の簡単な説明】
【０１０９】
【図１】本発明の実施の形態であって、スロットマシンの外観正面図である。
【図２】本発明の実施の形態であって、スロットマシンの入力、出力及び制御装置を示すブロック図である。
【図３】本発明の実施の形態におけるスロットマシンの作動の概略を示す流れ図である。
【図４】スロットマシンの作動のうち抽選処理を示す流れ図である。
【図５】スロットマシンの作動のうちリール回転停止処理を示す流れ図である。
【図６】スロットマシンの作動のうちリール回転開始処理を示す流れ図である。
【図７】リール回転開始処理のうち、リーチ演出実行処理の制御例１を示す流れ図である。
【図８】リール回転開始処理のうち、リーチ演出実行処理の制御例２を示す流れ図である。
【図９】回転リールの図柄配置を示す図である。
【図１０】回転リールの回転に伴う図柄の移動を示す説明図である。
【図１１】回転リールの回転に伴う図柄の移動を示す説明図である。
【符号の説明】
【０１１０】
10  スロットマシン                  11  筺体
12  表示窓                          13  図柄表示窓
15  投入スイッチ                    16  ベットスイッチ
17  精算スイッチ
20  制御装置                        21  遊技制御装置
22  演出制御装置
30  スタートスイッチ                40  回転リール
50  ストップスイッチ                60  リールユニット
60A  インデックスセンサ（図柄検知手段）
65  ホッパーユニット                66  演出表示装置
70  通常遊技制御手段                80  特別遊技制御手段
90  特定導入遊技制御手段           100  特定遊技制御手段
110  当選抽選手段                   111  乱数発生手段
112  乱数抽出手段                   113  当選判定テーブル
114  判定手段                       120  リール回転制御手段
121  スタート信号出力手段           122  停止操作無効解除手段
123  加速度変更手段
130  リール停止制御手段             131  図柄判定手段（図柄検知手段）
132  停止データ記憶手段             133  ストップ信号出力手段
140  リーチ演出制御手段             141  停止図柄記憶手段
142  実行決定手段                   143  位置判定手段
144  配列表示制御手段               145  定常回転移行制御手段
150  ホッパー制御手段               160  入賞判定手段
【図１】
2010029493.tif 000003
【図２】
2010029493.tif 000004
【図３】
2010029493.tif 000005
【図４】
2010029493.tif 000006
【図５】
2010029493.tif 000007
【図６】
2010029493.tif 000008
【図７】
2010029493.tif 000009
【図８】
2010029493.tif 000010
【図９】
2010029493.tif 000011
【図１０】
2010029493.tif 000012
【図１１】
2010029493.tif 000013